(57)【要約】【課題】インセル型タッチパネル及びその駆動方法を提供する。【解決手段】本発明のインセル型タッチパネルの駆動方法は一実施形態では、隣接する共通電圧電極、ソース線或いは／及びゲート線はハイインピーダンスとして設置され、現在共通電圧電極は等価容量を有しない。他の実施形態では、タッチ検知モードでは、ゲート線はハイインピーダンスとして設置される。現在共通電圧電極の電圧波形が隣接する共通電圧電極或いは／及びソース線に印加され、等価容量は現在共通電圧電極に影響を及ぼさない。【選択図】図４
2016212823.tif 000002
【特許請求の範囲】
【請求項１】
共通電圧層が複数の共通電圧電極に分割されて、タッチ検知モードで検知点となるタッチパネルを提供する工程と、
現在共通電圧電極に隣接する共通電圧電極、前記現在共通電圧電極の下方のソース線或いは／且つ前記現在共通電圧電極の下方のゲート線はハイインピーダンスとして設置され、前記現在共通電圧電極が等価容量を有せず、前記検知点の負荷を低減させるタッチ検知モード工程と、を含むことを特徴とする、
インセル型タッチパネルの駆動方法。
【請求項２】
前記現在共通電圧電極に隣接する共通電圧電極はハイインピーダンスとして設置され、前記現在共通電圧電極の下方のソース線はハイインピーダンスとして設置され、且つ前記現在共通電圧電極の下方のゲート線はハイインピーダンスとして設置されることを特徴とする、請求項１に記載のインセル型タッチパネルの駆動方法。
【請求項３】
共通電圧層が複数の共通電圧電極に分割されて、タッチ検知モードで検知点となる、タッチパネルを提供する工程と、
タッチ検知モードでは、現在共通電圧電極の下方のゲート線がハイインピーダンスとして設置される工程と、
現在共通電圧電極の電圧波形が隣接する共通電圧電極或いは／且つ前記現在共通電圧電極の下方のソース線に印加され、等価容量が前記現在共通電圧電極に影響を与えず、前記検知点の負荷が低減される工程と、を含むことを特徴とする、
インセル型タッチパネルの駆動方法。
【請求項４】
前記現在共通電圧電極の電圧波形は検知周期の転換段階及び予備充電段階に印加され、且つ電圧波形が安定していることを特徴とする、請求項３に記載のインセル型タッチパネルの駆動方法。
【請求項５】
前記現在共通電圧電極の電圧波形は検知周期の転換段階にのみ印加されることを特徴とする、請求項３に記載のインセル型タッチパネルの駆動方法。
【請求項６】
電圧波形が低レベルから高レベルに転換される過渡期では、前記現在共通電圧電極の下方のソース線がハイインピーダンスとして設置されることを特徴とする、請求項４または５に記載のインセル型タッチパネルの駆動方法。
【請求項７】
共通電圧層が複数の共通電圧電極に分割されて、タッチ検知モードで検知点となる、タッチパネルを提供する工程と、
現在共通電圧電極の電圧波形が隣接する共通電圧電極、前記現在共通電圧電極の下方のソース線及びゲート線に印加され、等価容量が前記現在共通電圧電極に影響を及ぼさず、このため前記検知点の負荷が低減される工程と、を含み、
前記電圧波形が印加される振幅は前記現在共通電圧電極の電圧波形の振幅より大きいことを特徴とする、
インセル型タッチパネルの駆動方法。
【請求項８】
転換段階及び予備充電段階では、所定の振幅が達成される前に、印加される電圧波形はオーバードライブ（ｏｖｅｒｄｒｉｖｅ）を発生させ、或いは転換段階及び予備充電段階では、所定の振幅が達成される前に、印加される電圧波形はアンダードライブ（ｕｎｄｅｒｄｒｉｖｅ）を発生させることを特徴とする、請求項７に記載のインセル型タッチパネルの駆動方法。
【請求項９】
横方向に設置される複数のゲート線と、
縦方向に設置される複数のソース線と、
複数の共通電圧電極に分割されて、タッチ検知モードで検知点となり、表示モードでは共通電圧に接続される共通電圧層と、を備え、
タッチ検知モードでは、現在共通電圧電極に隣接する共通電圧電極、前記現在共通電圧電極の下方のソース線或いは／且つ前記現在共通電圧電極の下方のゲート線はハイインピーダンスとして設置され、前記現在共通電圧電極は等価容量を有せず、このため前記検知点の負荷が低減されることを特徴とする、
インセル型タッチパネル。
【請求項１０】
横方向に設置される複数のゲート線と、
縦方向に設置される複数のソース線と、
複数の共通電圧電極に分割され、タッチ検知モードで検知点となり、表示モードでは共通電圧に接続される共通電圧層と、を備え、
タッチ検知モードでは、現在共通電圧電極の下方のゲート線はハイインピーダンスとして設置され、
現在共通電圧電極の電圧波形が隣接する共通電圧電極或いは／且つ前記現在共通電圧電極の下方のソース線に印加され、等価容量が前記現在共通電圧電極に影響を与えず、このため前記検知点の負荷が低減されることを特徴とする、
インセル型タッチパネル。
【請求項１１】
前記現在共通電圧電極の電圧波形は検知周期の転換段階及び予備充電段階に印加され、且つ電圧波形が安定していることを特徴とする、請求項１０に記載のインセル型タッチパネル。
【請求項１２】
前記現在共通電圧電極の電圧波形は検知周期の転換段階にのみ印加されることを特徴とする、請求項１０に記載のインセル型タッチパネル。
【請求項１３】
電圧波形が低レベルから高レベルに転換される過渡期では、前記現在共通電圧電極の下方のソース線がハイインピーダンスとして設置されることを特徴とする、請求項１１または１２に記載のインセル型タッチパネル。
【請求項１４】
横方向に設置される複数のゲート線と、
縦方向に設置される複数のソース線と、
複数の共通電圧電極に分割され、タッチ検知モードで検知点となり、表示モードでは共通電圧に接続される共通電圧層と、を備え、
現在共通電圧電極の電圧波形が隣接する共通電圧電極、前記現在共通電圧電極の下方のソース線及びゲート線に印加され、等価容量が前記現在共通電圧電極に影響を及ぼさず、このため前記検知点の負荷が低減され、前記印加される電圧波形の振幅は前記現在共通電圧電極の電圧波形の振幅より大きいことを特徴とする、
インセル型タッチパネル。
【請求項１５】
転換段階及び予備充電段階では、所定の振幅が達成される前に、印加される電圧波形はオーバードライブ（ｏｖｅｒｄｒｉｖｅ）を発生させ、或いは転換段階及び予備充電段階では、所定の振幅が達成される前に、印加される電圧波形がアンダードライブ（ｕｎｄｅｒｄｒｉｖｅ）を発生させることを特徴とする、請求項１４に記載のインセル型タッチパネル。
【発明の詳細な説明】
【技術分野】
【０００１】
本発明は、インセル型タッチパネルに関する。
【背景技術】
【０００２】
タッチパネルはタッチ制御技術及び表示技術が結合されて形成される入出力装置であり、使用者は表示されるオブジェクトをインタラクティブに操作できる。
静電容量式タッチパネルは常用されるタッチパネルであり、容量性カップリング効果を利用してタッチ位置の検知を行う。指がタッチパネルの表面をタッチすると、対応する位置の静電容量が変化することにより、タッチ位置の検知を行う。また、より薄いタッチパネルを製造するため、インセル型技術を用いてキャパシタを表示装置内に製造し、１層或いは多層の層を省略させる。
【発明の概要】
【発明が解決しようとする課題】
【０００３】
しかしながら、前述した従来のインセル型タッチパネルは相当な寄生容量（ｐａｒａｓｉｔｉｃ  ｃａｐａｃｉｔａｎｃｅ）を有するため、負荷が大きくなり、タッチパネルの感度に影響を及ぼした。
そこで、本発明者は上記の欠点が改善可能と考え、鋭意検討を重ねた結果、合理的設計で上記の課題を効果的に改善する本発明のインセル型タッチパネルの駆動方法の提案に到った。
【０００４】
本発明は、以上の実情に鑑みなされたものであって、上記課題解決のため、本発明は、インセル型タッチパネルの駆動方法を提供することを目的とし、寄生容量値を低減させ、或いは電力の消耗を低減させる。
【課題を解決するための手段】
【０００５】
上述した課題を解決し、目的を達成するための本発明に係るインセル型タッチパネルの共通電圧層は複数の共通電圧電極に分割され、タッチ検知モードで検知点になる。一実施形態において、タッチ検知モードでは、現在共通電圧電極の隣接する共通電圧電極、現在共通電圧電極の下方のソース線或いは／且つ現在共通電圧電極の下方のゲート線はハイインピーダンスとして設置され、現在共通電圧電極は等価容量を有せず、これにより検知点の負荷が低減される。他の実施形態において、タッチ検知モードでは、現在共通電圧電極の下方のゲート線はハイインピーダンスとして設置される。現在共通電圧電極の電圧波形が隣接する共通電圧電極或いは／且つ現在共通電圧電極の下方のソース線に印加され、等価容量が現在共通電圧電極に影響を及ぼさず、これにより検知点の負荷が低減される。
【図面の簡単な説明】
【０００６】
【図１】本発明の一実施形態に係る自己容量インセル型タッチパネルを示す透視図である。
【図２】図１に示す共通電圧層である。
【図３】図１に示す共通電圧電極、ソース線及びゲート線の等価容量を示す回路図である。
【図４】本発明の第１実施形態による共通電圧電極、ソース線及びゲート線の等価容量を示す回路図である。
【図５】本発明の第２実施形態による共通電圧電極、ソース線及びゲート線の等価容量を示す回路図である。
【図６】本発明の第３実施形態の現在共通電圧電極及びその下にあるソース線の電圧波形を示す。
【図７】本発明の第４実施形態の現在共通電圧電極及びその下にあるソース線の電圧波形を示す。
【図８】本発明の第５実施形態の現在共通電圧電極及びその下にあるソース線の電圧波形を示す。
【図９】本発明の第６実施形態の現在共通電圧電極及びその下にあるソース線の電圧波形を示す。
【図１０】図１に示す共通電圧電極、ソース線及びゲート線の等価容量を示す回路図である。
【図１１】本発明の第７実施形態の共通電圧電極、ソース線及びゲート線の等価容量を示す回路図である。
【図１２Ａ】本発明の共通電圧電極及びその下にあるソース線及びゲート線の電圧波形を示す。
【図１２Ｂ】本発明の共通電圧電極及びその下にあるソース線及びゲート線の電圧波形を示す。
【図１２Ｃ】本発明の共通電圧電極及びその下にあるソース線及びゲート線の電圧波形を示す。
【発明を実施するための形態】
【０００７】
以下、図面を参照して、本発明を実施するための形態について、詳細に説明する。なお、本発明は、以下に説明する実施形態に限定されるものではない。
【０００８】
図１は本発明の一実施形態に係る自己容量（ｓｅｌｆ−ｃａｐａｃｉｔａｎｃｅ）インセル型タッチパネル１００を示す透視図である。自己容量インセル型タッチパネル（以下略称タッチパネル）１００は主に、ゲート（Ｇ）線１１と、ソース（Ｓ）線１３と、共通電圧（ＶＣＯＭ）層１５とを備え、上から下に互いに隔離される。分かりやすく図示するために、タッチパネル１００のいくつかの部材は図中に図示しない。例えば、液晶層が共通電圧層１５の上に設けられる。
【０００９】
ゲート線１１は横方向或いは列方向に設置され、ソース線１３は縦方向或いは行方向に設置される。図２に示すように、共通電圧層１５は複数の共通電圧電極１５１に分割され、タッチ検知モードで検知点となる（或いは受信（ＲＸ）電極）。且つ、表示モードでは共通電圧に接続される（例えば直流電圧）。
【００１０】
また、小型化されたタッチパネル１００については、共通電圧電極１５１、ソース線１３及びゲート線１１が互いに非常に接近するため、タッチパネル１００が寄生容量を有する。
図３は共通電圧電極１５１、ソース線１３及びゲート線１１の等価容量を示す回路図である。ＶＣＯＭ１、ＶＣＯＭ２、及びＶＣＯＭ３は隣接する３つの共通電圧電極１５１を表す。ＣＣ１及びＣＣ２は共通電圧電極１５１の間の等価容量を表す。ＣＳ１、ＣＳ２及びＣＳ３は共通電圧電極１５１（即ち、ＶＣＯＭ１、ＶＣＯＭ２及びＶＣＯＭ３）と下方に位置されるソース線１３との間の等価容量を表す。ＣＧ１、ＣＧ２及びＣＧ３は共通電圧電極１５１（即ち、ＶＣＯＭ１、ＶＣＯＭ２及びＶＣＯＭ３）と下方に位置されるゲート線１１との間の等価容量を表す。
各検知点（或いは共通電圧電極１５１）が有する総容量値は（ＣＣＸ＋ＣＳＸ＋ＣＧＸ）（Ｘは１、２或いは３）であり、発生する負荷がタッチパネル１００の感度に影響を及ぼす。寄生容量値を低減させるために、以下の実施形態を提供する。
【００１１】
図４は本発明の第１実施形態による共通電圧電極１５１、ソース線１３及びゲート線１１の等価容量を示す回路図である。
本実施態様では、ＶＣＯＭ１、ＶＣＯＭ２及びＶＣＯＭ３が順にタッチ制御を検知させる。現在共通電圧電極１５１（例えばＶＣＯＭ２）がタッチ制御の検知を行うと、ハイインピーダンスユニット２１（図２参照）は隣接する共通電圧電極１５１（例えばＶＣＯＭ１及びＶＣＯＭ２）をハイインピーダンスとして設置させるか（Ｈｉ−Ｚ）浮動接続させる。また、現在共通電圧電極１５１の下方のソース線１３（例えば、Ｓ２）及び現在共通電圧電極１５１の下方のゲート線１１（例えば、Ｇ２）もハイインピーダンスとして設置させるか浮動接続させる。これにより、現在共通電圧電極１５１（或いは検知点）は等価容量ＣＣ１、ＣＣ２、ＣＳ２及びＣＧ２を有しない。
【００１２】
図５は本発明の第２実施形態による共通電圧電極１５１、ソース線１３及びゲート線１１の等価容量を示す回路図である。
本実施態様では、ＶＣＯＭ１、ＶＣＯＭ２及びＶＣＯＭ３が順にタッチ制御の検知を行う。現在共通電圧電極１５１（例えばＶＣＯＭ２）がタッチ制御の検知を行うと、共通電圧ユニット２２（図２参照）は現在共通電圧電極１５１の電圧波形を隣接する共通電圧電極１５１（例えばＶＣＯＭ１及びＶＣＯＭ３）に印加させる。これにより、隣接する共通電圧電極１５１及び現在共通電圧電極１５１が同時に操作される（或いは連動される）。このほか、現在共通電圧電極１５１の電圧波形が現在共通電圧電極１５１の下方のソース線１３（例えば、Ｓ２）に印加される。これにより、現在共通電圧電極１５１及びその下方のソース線１３も同時に操作される。
等価容量（例えばＣＣ１、ＣＣ２或いはＣＳ２）の二端は同じ電圧波形を有するか同時に操作され、これにより等価容量が現在共通電圧電極１５１（或いは検知点）に影響を及ぼさなくなる。また、現在共通電圧電極１５１の下方のゲート線１１（例えば、Ｇ２）はハイインピーダンスとして設置されるか浮動接続される。これにより、現在共通電圧電極１５１（或いは検知点）は等価容量ＣＧ２を有せず、検知点の負荷が大幅に低減される。
【００１３】
図６は本発明の第３実施形態の現在共通電圧電極１５１及びその下にあるソース線１３の電圧波形を示す。
本実施態様では、検知周期の転換段階及び予備充電段階で、現在共通電圧電極１５１の電圧波形が現在共通電圧電極１５１の下方のソース線１３に印加される。
【００１４】
実務上、ソース線１３の等価容量は転換段階でのみ検知結果に対して影響を及ぼし、予備充電段階では検知結果に対して影響を及ぼさない。このため、図７に示す本発明の第４実施形態によると、検知周期の転換段階においてのみ、現在共通電圧電極１５１の電圧波形が現在共通電圧電極１５１の下方のソース線１３に印加される。
【００１５】
図８は本発明の第５実施形態の現在共通電圧電極１５１及びその下にあるソース線１３の電圧波形を示す。
本実施態様では、検知周期の転換段階及び予備充電段階では、現在共通電圧電極１５１の電圧波形が安定している場合のみ、現在共通電圧電極１５１の電圧波形が現在共通電圧電極１５１の下方のソース線１３に印加される。電圧波形が過渡期（高レベルから低レベルに転換される、或いは低レベルから高レベルに転換される）にある場合、現在共通電圧電極１５１の下方のソース線１３（例えば、Ｓ２）はハイインピーダンスとして設置されるか浮動接続され、これにより電力の消耗が低減される。ちなみに、電圧波形の過渡期では、ソース線１３の電圧は等価容量（例えばＣＳ２）により増加されるか低減される。
【００１６】
前述のように、ソース線１３の等価容量が転換段階でのみ検知結果に対して影響を及ぼすため、図９に示す本発明の第６実施形態では、検知周期の転換段階で電圧波形が安定している場合のみ、現在共通電圧電極１５１の電圧波形が現在共通電圧電極１５１の下方のソース線１３に印加される。電圧波形の過渡期或いは電圧波形が安定していない場合、現在共通電圧電極１５１の下方のソース線１３（例えば、Ｓ２）はハイインピーダンスとして設置されるか浮動接続され、これにより電力の消耗が低減される。第５実施形態に類似し（図８参照）、ソース線１３の電圧は等価容量（例えばＣＳ２）により増加される。
【００１７】
図１０は共通電圧電極１５１、ソース線１３及びゲート線１１の等価容量を示す回路図である。ＶＣＯＭ１、ＶＣＯＭ２及びＶＣＯＭ３は隣接する３つの共通電圧電極１５１を表す。ＣＣ１及びＣＣ２は共通電圧電極１５１の間の等価容量を表す。ＣＳ１、ＣＳ２及びＣＳ３は共通電圧電極１５１（即ち、ＶＣＯＭ１、ＶＣＯＭ２及びＶＣＯＭ３）と下方に位置されるソース線１３との間の等価容量を表す。ＣＧ１、ＣＧ２及びＣＧ３は共通電圧電極１５１（即ち、ＶＣＯＭ１、ＶＣＯＭ２及びＶＣＯＭ３）と下方に位置されるゲート線１１との間の等価容量を表す。ＣＰ１、ＣＰ２及びＣＰ３は共通電圧電極１５１（即ち、ＶＣＯＭ１、ＶＣＯＭ２及びＶＣＯＭ３）がソース線１３及びゲート線１１以外の影響を受けた場合の相関する等価容量を表す。
各検知点（或いは共通電圧電極１５１）が有する総容量値は（ＣＣＸ＋ＣＳＸ＋ＣＧＸ＋ＣＰＸ）（Ｘは１、２或いは３）であり、発生する負荷はタッチパネル１００の感度に影響を及ぼす。寄生容量値を低減させるため、以下の実施形態を提供する。
【００１８】
図１１は本発明の第７実施形態の共通電圧電極１５１、ソース線１３及びゲート線１１の等価容量を示す回路図である。
本実施態様では、ＶＣＯＭ１、ＶＣＯＭ２及びＶＣＯＭ３が順にタッチ制御の検知を行う。現在共通電圧電極１５１（例えばＶＣＯＭ２）がタッチ制御の検知を行うと、電圧波形ＶＢは第一振幅Ｂを有する。共通電圧ユニット２２（図２参照）は第二振幅Ａを有する同じ電圧波形を隣接する共通電圧電極１５１（例えばＶＣＯＭ１及びＶＣＯＭ３）に印加させる。第二振幅Ａを有する同じ電圧波形が現在共通電圧電極１５１の下方のソース線１３（例えば、Ｓ２）及びゲート線１１（例えば、Ｇ２）にさらに印加される。
【００１９】
ＱＣ１は等価容量ＣＣ１の共通電圧電極１５１に対して作用する電荷を表し、ＱＣ２は等価容量ＣＣ２の共通電圧電極１５１に対して作用する電荷を表し、ＱＳ２は等価容量ＣＳ２の共通電圧電極１５１に対して作用する電荷を表し、ＱＧ２は等価容量ＣＧ２の共通電圧電極１５１に対して作用する電荷を表し、ＱＰ２は等価容量ＣＰ２の共通電圧電極１５１に対して作用する電荷を表し、且つＱは総容量値（ＣＣＸ＋ＣＳＸ＋ＣＧＸ＋ＣＰＸ）の共通電圧電極１５１に対して作用する電荷を表す。
ＱＣ１＝（ＶＢ−ＶＡ）＊ＣＣ１
ＱＣ２＝（ＶＢ−ＶＡ）＊ＣＣ２
ＱＳ２＝（ＶＢ−ＶＡ）＊ＣＳ２
ＱＧ２＝（ＶＢ−ＶＡ）＊ＣＧ２
ＱＰ２＝ＶＢ＊ＣＰ２
Ｑｔｏｔａｌ＝ＱＣ１＋ＱＣ２＋ＱＳ２＋ＱＧ２＋ＱＰ２
【００２０】
また、第二振幅Ａは第一振幅Ｂより大きく（即ち、ＶＡ＞ＶＢ）、電荷ＱＣ１、電荷ＱＣ２、電荷ＱＳ２及びＱＧ２は電荷ＱＰ２とは反対になり、これにより電荷ＱＰ２の影響を補償させる。
【００２１】
本実施形態は多チャンネルの同時検知にさらに適用される。このさい、等価容量ＣＰ２（即ち、共通電圧電極１５１がソース線１３及びゲート線１１以外の影響を受ける相関する等価容量）がタッチ制御の感度に対して大きな影響を有する。
【００２２】
図１２Ａから図１２Ｃは本発明の共通電圧電極１５１及びその下にあるソース線１３（例えば、Ｓ２）及びゲート線１１（例えば、Ｇ２）の電圧波形を示す。
図１２Ａに示すように、転換段階では、下方のソース線１３（例えば、Ｓ２）、ゲート線１１（例えば、Ｇ２）及び隣接する共通電圧電極１５１（例えばＶＣＯＭ１及びＶＣＯＭ３）に印加される電圧波形は固定の振幅（即ち、第二振幅ＶＡ）を有する。
また、図１２Ｂに示すように、転換段階及び予備充電段階では、第二振幅ＶＡが達成される前に、印加される電圧波形はオーバードライブ（ｏｖｅｒｄｒｉｖｅ）を発生させる。反対に、図１２Ｃによると、転換段階及び予備充電段階では、第二振幅ＶＡが達成される前に、印加される電圧波形はアンダードライブ（ｕｎｄｅｒｄｒｉｖｅ）を発生させる。
【００２３】
上述の実施形態は本発明の技術思想及び特徴を説明するためのものにすぎず、当該技術分野を熟知する者に本発明の内容を理解させると共にこれをもって実施させることを目的とする。本発明の特許請求の範囲を限定するものではない。従って、本発明の精神を逸脱せずに行う各種の同様の効果をもつ改良又は変更は、後述の請求項に含まれるものとする。
【符号の説明】
【００２４】
１００      自己容量インセル型タッチパネル
１１        ゲート線
１３        ソース線
１５        共通電圧層
１５１      共通電圧電極
２１        ハイインピーダンスユニット
２２        共通電圧ユニット
Ｇ          ゲート
Ｓ          ソース
ＶＣＯＭ    共通電圧
ＶＣＯＭ１  共通電圧電極
ＶＣＯＭ２  共通電圧電極
ＶＣＯＭ３  共通電圧電極
Ｓ１        ソース
Ｓ２        ソース
Ｓ３        ソース
Ｇ１        ゲート
Ｇ２        ゲート
Ｇ３        ゲート
ＣＣ１      等価容量
ＣＣ２      等価容量
ＣＳ１      等価容量
ＣＳ２      等価容量
ＣＳ３      等価容量
ＣＧ１      等価容量
ＣＧ２      等価容量
ＣＧ３      等価容量
ＣＰ１      等価容量
ＣＰ２      等価容量
ＣＰ３      等価容量
Ｈｉ−Ｚ    ハイインピーダンス
ＶＢ        第一振幅
ＶＡ        第二振幅
【図１】
2016212823.tif 000003
【図２】
2016212823.tif 000004
【図３】
2016212823.tif 000005
【図４】
2016212823.tif 000006
【図５】
2016212823.tif 000007
【図６】
2016212823.tif 000008
【図７】
2016212823.tif 000009
【図８】
2016212823.tif 000010
【図９】
2016212823.tif 000011
【図１０】
2016212823.tif 000012
【図１１】
2016212823.tif 000013
【図１２Ａ】
2016212823.tif 000014
【図１２Ｂ】
2016212823.tif 000015
【図１２Ｃ】
2016212823.tif 000016
【手続補正書】
【提出日】平成28年8月1日(2016.8.1)
【手続補正１】
【補正対象書類名】特許請求の範囲
【補正対象項目名】全文
【補正方法】変更
【補正の内容】
【特許請求の範囲】
【請求項１】
共通電圧層が複数の共通電圧電極に分割されて、タッチ検知モードで検知点となる、タッチパネルを提供する工程と、
タッチ検知モードでは、現在共通電圧電極の下方のゲート線がハイインピーダンスとして設置される工程と、
現在共通電圧電極の電圧波形が隣接する共通電圧電極或いは／且つ前記現在共通電圧電極の下方のソース線に印加され、等価容量が前記現在共通電圧電極に影響を与えず、前記検知点の負荷が低減される工程と、を含み、
前記現在共通電圧電極の電圧波形は検知周期の転換段階及び予備充電段階に印加され、且つ電圧波形が安定していることを特徴とする、
インセル型タッチパネルの駆動方法。
【請求項２】
共通電圧層が複数の共通電圧電極に分割されて、タッチ検知モードで検知点となる、タッチパネルを提供する工程と、
タッチ検知モードでは、現在共通電圧電極の下方のゲート線がハイインピーダンスとして設置される工程と、
現在共通電圧電極の電圧波形が隣接する共通電圧電極或いは／且つ前記現在共通電圧電極の下方のソース線に印加され、等価容量が前記現在共通電圧電極に影響を与えず、前記検知点の負荷が低減される工程と、を含み、
前記現在共通電圧電極の電圧波形は検知周期の転換段階にのみ印加されることを特徴とする、
インセル型タッチパネルの駆動方法。
【請求項３】
電圧波形が低レベルから高レベルに転換される過渡期では、前記現在共通電圧電極の下方のソース線がハイインピーダンスとして設置されることを特徴とする、請求項１または２に記載のインセル型タッチパネルの駆動方法。
【請求項４】
共通電圧層が複数の共通電圧電極に分割されて、タッチ検知モードで検知点となる、タッチパネルを提供する工程と、
現在共通電圧電極の電圧波形が隣接する共通電圧電極、前記現在共通電圧電極の下方のソース線及びゲート線に印加され、等価容量が前記現在共通電圧電極に影響を及ぼさず、このため前記検知点の負荷が低減される工程と、を含み、
前記電圧波形が印加される振幅は前記現在共通電圧電極の電圧波形の振幅より大きく、
転換段階及び予備充電段階では、所定の振幅が達成される前に、印加される電圧波形はオーバードライブ（ｏｖｅｒｄｒｉｖｅ）を発生させ、或いは転換段階及び予備充電段階では、所定の振幅が達成される前に、印加される電圧波形はアンダードライブ（ｕｎｄｅｒｄｒｉｖｅ）を発生させることを特徴とする、
インセル型タッチパネルの駆動方法。
【請求項５】
横方向に設置される複数のゲート線と、
縦方向に設置される複数のソース線と、
複数の共通電圧電極に分割され、タッチ検知モードで検知点となり、表示モードでは共通電圧に接続される共通電圧層と、を備え、
タッチ検知モードでは、現在共通電圧電極の下方のゲート線はハイインピーダンスとして設置され、
現在共通電圧電極の電圧波形が隣接する共通電圧電極或いは／且つ前記現在共通電圧電極の下方のソース線に印加され、等価容量が前記現在共通電圧電極に影響を与えず、このため前記検知点の負荷が低減され、
前記現在共通電圧電極の電圧波形は検知周期の転換段階及び予備充電段階に印加され、且つ電圧波形が安定していることを特徴とする、
インセル型タッチパネル。
【請求項６】
横方向に設置される複数のゲート線と、
縦方向に設置される複数のソース線と、
複数の共通電圧電極に分割され、タッチ検知モードで検知点となり、表示モードでは共通電圧に接続される共通電圧層と、を備え、
タッチ検知モードでは、現在共通電圧電極の下方のゲート線はハイインピーダンスとして設置され、
現在共通電圧電極の電圧波形が隣接する共通電圧電極或いは／且つ前記現在共通電圧電極の下方のソース線に印加され、等価容量が前記現在共通電圧電極に影響を与えず、このため前記検知点の負荷が低減され、
前記現在共通電圧電極の電圧波形は検知周期の転換段階にのみ印加されることを特徴とする、
インセル型タッチパネル。
【請求項７】
電圧波形が低レベルから高レベルに転換される過渡期では、前記現在共通電圧電極の下方のソース線がハイインピーダンスとして設置されることを特徴とする、請求項５または６に記載のインセル型タッチパネル。
【請求項８】
横方向に設置される複数のゲート線と、
縦方向に設置される複数のソース線と、
複数の共通電圧電極に分割され、タッチ検知モードで検知点となり、表示モードでは共通電圧に接続される共通電圧層と、を備え、
現在共通電圧電極の電圧波形が隣接する共通電圧電極、前記現在共通電圧電極の下方のソース線及びゲート線に印加され、等価容量が前記現在共通電圧電極に影響を及ぼさず、このため前記検知点の負荷が低減され、前記印加される電圧波形の振幅は前記現在共通電圧電極の電圧波形の振幅より大きく、
転換段階及び予備充電段階では、所定の振幅が達成される前に、印加される電圧波形はオーバードライブ（ｏｖｅｒｄｒｉｖｅ）を発生させ、或いは転換段階及び予備充電段階では、所定の振幅が達成される前に、印加される電圧波形がアンダードライブ（ｕｎｄｅｒｄｒｉｖｅ）を発生させることを特徴とする、
インセル型タッチパネル。